(57)【要約】      （修正有）【課題】日焼け防止効果が高く、容易に装着可能で、普段は二枚のタオルとして多用途に使用できて使い勝手に優れる日よけカバーを提供する。【解決手段】通気性および吸湿性のある二枚の長方形状の布カバー部材１１０，１２０から構成する。布カバー部材１１０には、四隅部に連結用の隅部ホック部と短手方向の前側端部および後側端部に連結用の端部ホック部を設ける。布カバー部材１２０にも、四隅部に連結用の隅部ホック部と短手方向の前側端部および後側端部に連結用の端部ホック部を設ける。首の周りで布カバー部材の隅部ホック部どうしを装着し、腕部の周りでそれぞれの布カバー部材の前後の端部ホック部を装着することで、首の周りから両腕にかけて日よけカバーを着用できる。【選択図】図１
0003218994.tif 000002
【実用新案登録請求の範囲】
【請求項１】
通気性および吸湿性のある二枚の長方形状の布カバー部材からなり、それぞれの布カバー部材は、四隅部に隅部ホック部が、短手方向の前側端部および後側端部に端部ホック部がそれぞれ設けられ、二枚の布カバー部材がそれぞれの表面を上にして長手方向に直列に置かれた状態で、長手方向に相対する隅部ホック部どうしが互いに着脱可能とされ、二枚の布カバー部材がそれぞれの表面を上にして長手方向に連結された状態で、それぞれの布カバー部材の短手方向の前側端部および後側端部の相対する端部ホック部どうしと、残りの隅部ホック部どうしが互いに着脱可能とされていることを特徴とする日よけカバー。
【請求項２】
それぞれの布カバー部材に設けられた隅部ホック部および端部ホック部は、短手方向の一方側の隅部ホック部および端部ホック部が、布カバー部材の表面に凹状係合部を有し、短手方向の他方側の隅部ホック部および側部ホック部が、布カバー部材の裏面に、前記凹状係合部に係合する凸状係合部を有することを特徴とする請求項１記載の日よけカバー。
【請求項３】
布カバー部材が、通気性および吸湿性のあるガーゼ生地、パイル生地、シャーリング生地のいずれかの生地からなることを特徴とする請求項１または請求項２記載の日よけカバー。
【請求項４】
二枚の布カバー部材がそれぞれの表面を上にして短手方向に並列に置かれた状態で、短手方向に相対する隅部ホック部どうしおよび端部ホック部どうしが互いに着脱可能に連結されていることを特徴とする請求項１ないし請求項３のいずれか一項に記載の日よけカバー。
【請求項５】
布カバー部材の表面に装飾模様が施されていることを特徴とする請求項１ないし請求項４のいずれか一項に記載の日よけカバー。
【考案の詳細な説明】
【技術分野】
【０００１】
本考案は、首部から両腕にかけて着用でき、また、普段は二枚のタオルとして多用途に使用できる、日よけカバーに関するものである。
【背景技術】
【０００２】
従来より、日中のスタンドでのスポーツ観戦や屋外活動あるいは庭の草取りなどをする際に、首にタオルを巻いたり、帽子の中からタオルをぶら下げて、日焼けを防止したり、汗取りをすることが普通に行われている。また、帽子の後ろに日よけ用の布を装着したものや、自動車や自転車の運転時に日焼けを防ぐため、腕に単独で装着できるようにした日よけカバーが市販されている。
【０００３】
従来より、肩や首部を防寒する日除け用着衣（特許文献１）や、腕と首の後ろを同時に蔽うようにした日除けアームカバー（特許文献２）、顔や首などの日焼けを防止する日除けカバー（特許文献３）がそれぞれ提案されている。
【先行技術文献】
【特許文献】
【０００４】
【特許文献１】特開２００３−２９３２０８号公報
【特許文献２】特開２００１−１５９０１０号公報
【特許文献３】実用新案登録第３１４６５７７号公報
【考案の概要】
【考案が解決しようとする課題】
【０００５】
しかしながら、特許文献１ないし特許文献３に示す日除け用着衣等の提案は、着用が容易ではなかったり、用途が限定されたり等して、必ずしも使い勝手に優れるものとは言えなかった。
【０００６】
本考案は上記課題に鑑みてなされたもので、日焼け防止効果が高く、容易に装着可能で、普段は二枚のタオルとして多用途に使用できて使い勝手に優れる、日よけカバーを提供することを目的とする。
【課題を解決するための手段】
【０００７】
上記課題を解決するために、本考案に係る日よけカバーは、
通気性および吸湿性のある二枚の長方形状の布カバー部材からなり、それぞれの布カバー部材は、四隅部に隅部ホック部が、短手方向の前側端部および後側端部に端部ホック部がそれぞれ設けられ、二枚の布カバー部材がそれぞれの表面を上にして長手方向に直列に置かれた状態で、長手方向に相対する隅部ホック部どうしが互いに着脱可能とされ、二枚の布カバー部材がそれぞれの表面を上にして長手方向に連結された状態で、それぞれの布カバー部材の短手方向の前側端部および後側端部の相対する端部ホック部どうしと、残りの隅部ホック部どうしが互いに着脱可能とされていることを特徴とする。
【０００８】
本考案に係る日よけカバーは、それぞれの布カバー部材に設けられた隅部ホック部および端部ホック部について、短手方向の一方側の隅部ホック部および端部ホック部が、布カバー部材の表面に凹状係合部を有し、短手方向の他方側の隅部ホック部および側部ホック部が、布カバー部材の裏面に、前記凹状係合部に係合する凸状係合部を有することを第２の特徴とする。
【０００９】
本考案に係る日よけカバーは、布カバー部材が、通気性および吸湿性のあるガーゼ生地、パイル生地、シャーリング生地のいずれかの生地からなることを第３の特徴とする。
【００１０】
本考案に係る日よけカバーは、二枚の布カバー部材がそれぞれの表面を上にして短手方向に並列に置かれた状態で、短手方向に相対する隅部ホック部どうしおよび端部ホック部どうしが互いに着脱可能に連結されていることを第４の特徴とする。
【００１１】
本考案に係る日よけカバーは、布カバー部材の表面に装飾模様が施されていることを第５の特徴とする。
【考案の効果】
【００１２】
以上説明したように、本考案に係る日よけカバーは、日焼け防止効果、汗取り効果が高く、また、容易に装着可能で、普段は二枚のタオルとして、さらにひざ掛けや身体に掛ける寝具として多くの用途に使用でき、使い勝手に優れるという優れた効果を奏する。
【図面の簡単な説明】
【００１３】
【図１】本考案の日よけカバーの着用例を示す正面図、
【図２】図１に示す日よけカバーの着用例における背面図、
【図３】一方の布カバー部材を示すもので（Ａ）は表面、（Ｂ）は裏面を示す図、
【図４】他方の布カバー部材を示すもので（Ａ）は表面、（Ｂ）は裏面を示す図、
【図５】一方の布カバー部材の凹状隅部ホック部と他方の布カバー部材の凸状隅部ホック部どうしを装着する様子を示す図、
【図６】一方の布カバー部材の、凹状隅部ホック部と凸状隅部ホック部どうし、凹状端部ホック部と凸状端部ホック部どうしを装着する様子を示す図、
【図７】２枚の日よけカバーを短手方向に連結した状態を示す図である。
【考案を実施するための最良の形態】
【００１４】
本考案を実施するための最良の形態につき、図１ないし図７を参照して説明する。図中、符号１００は日よけカバーを示している。
【００１５】
図１および図２は日よけカバー１００の着用例を示す正面図と背面図である。同図に示すように、日よけカバー１００は、通気性および吸湿性のある二枚の長方形状の布カバー部材１１０，１２０から構成されている。
【００１６】
布カバー部材１１０は、通気性および吸湿性のある素材、例えば、ガーゼ生地、パイル生地、シャーリング生地などの天然素材（綿など）の布が使用される。綿などの天然素材に合成繊維（ポリエステルなど）を組み合わせた素材も使用可能である。布カバー１１０の表面には装飾模様Ｍが施されている。図示例のサイズは、幅２５〜３５ｃｍ、長さ６０〜９０ｃｍであるが、これらのサイズに限定されず、正方形、長方形、広幅形状、狭幅形状など多様な寸法、形状のものを使用できる。
【００１７】
図３（Ａ）に示すように、布カバー１１０の表面には、短手方向Ａの前側端部１１０ａに、左端の隅部から右端の隅部にかけて、一対の凹状隅部ホック部１１１と、その中間の多数個の凹状側部ホック部１１２が設けられている。凹状隅部ホック部１１１には凹状係合部１１１Ａが、凹状側部ホック部１１２には凹状係合部１１２Ａがそれぞれ設けられている（図６参照）。
【００１８】
図３（Ｂ）に示すように、布カバー１１０の裏面には、短手方向Ａの後側端部１１０ｂに、左端の隅部から右端の隅部にかけて、一対の凸状隅部ホック部１１３と、その中間の多数個の凸状側部ホック部１１４が設けられている。凸状隅部ホック部１１３には凸状係合部１１３Ａが、凸状側部ホック部１１４には凸状係合部１１４Ａがそれぞれ設けられている（図５および図６参照）。
【００１９】
布カバー部材１２０は、布カバー部材１１０と同様に、通気性および吸湿性のある素材、例えば、ガーゼ生地、パイル生地、シャーリング生地などの天然素材（綿など）が使用される。綿などの天然素材に合成繊維（ポリエステルなど）を組み合わせた素材も使用可能である。布カバー１２０の表面には装飾模様Ｍが施されている。図示例のサイズは、幅２５〜３５ｃｍ、長さ６０〜９０ｃｍであるが、これらのサイズに限定されず、正方形、長方形、広幅形状、狭幅形状など多様な寸法、形状のものを使用できる。
【００２０】
図４（Ａ）に示すように、布カバー１２０の表面には、短手方向Ａの後側端部１２０ｂに、右側の隅部から左側の隅部にかけて、一対の凹状隅部ホック部１２３と、その中間の多数個の凹状側部ホック部１２４が設けられている。凹状隅部ホック部１２３には凹状係合部１２３Ａが、凹状側部ホック部１２４には凹状係合部がそれぞれ設けられている。
【００２１】
図４（Ｂ）に示すように、布カバー１２０の裏面には、短手方向Ａの前側端部１２０ａに、左端の隅部から右端の隅部にかけて、一対の凸状隅部ホック部１２１と、その中間の多数個の凸状側部ホック部１２２が設けられている。凸状隅部ホック部１２１には凸状係合部が、凸状側部ホック部１２２には凸状係合部がそれぞれ設けられている。
【００２２】
以上の構成の布カバー１１０、１２０は、布カバー１１０の左端の後方の凸状隅部ホック部１１３および前方の凹状隅部ホック部１１１に、布カバー１２０の右端の後方の凹状隅部ホック部１２３および前方の凸状隅部ホック１２１をそれぞれ装着することにより、装飾模様Ｍが施された表面どうしを上面にして長手方向Ｂに連結することが可能である。
【００２３】
また、以上の布カバー１１０、１２０は、布カバー１１０の前側端部１１０ａの凹状隅部ホック部１１１および凹状端部ホック部１１２に、布カバー１２０の前側端部１２０ａの凸状隅部ホック部１２１および凸状側部ホック部１２２をそれぞれ装着することにより、図７に示すように、装飾模様Ｍが施された表面どうしを上面にして短手方向Ａに連結することが可能である。
【００２４】
さらに、以上の布カバー１１０、１２０は、長手方向Ｂまたは短手方向Ａに連結しない場合は、２枚のタオルとして普段使用することができる。
【００２５】
次に、上記構成の日よけカバー１００について、使用方法を説明する。
【００２６】
まず、布カバー１１０、１２０をそのまま単独でバッグ等に入れておくことにより、２枚のタオルとして普段使用することができる。
【００２７】
次に、両布カバー１１０、１２０を長手方向Ｂに連結することにより、太陽下でのスポーツ観戦時、屋外活動時、自動車や自転車の運転時等に日よけ用に使用することができる。
【００２８】
まず、図２に示すように、首の後ろで、布カバー１１０の左端の後方の凸状隅部ホック部１１３に、布カバー１２０の右端の後方の凹状隅部ホック部１２３を装着する。次に、図１に示すように、首の前で、布カバー１１０の左端の前方の凹状隅部ホック部１１１に、布カバー１２０の右端の前方の凸状隅部ホック部１２１を装着する。これにより、首の周りに布カバー１１０，１２０を装着する。
【００２９】
次に、首の周りに装着した状態で、布カバー１１０の前側端部１１０ａの各凹状側部ホック部１１２、右端の凹状隅部ホック部１１１に、後側端部１１０ｂの各凸状側部ホック部１１４、右端の凸状隅部ホック部１１３を必要に応じてそれぞれ腕（左）の周りで装着する。これにより、腕（左）の周りに布カバー１１０を装着することができる。
【００３０】
同時に、首の周りに装着した状態で、布カバー１２０の後側端部１２０ｂの各凹状側部ホック部１２４、左端の凹状隅部ホック部１２３に、前側端部１２０ａの各凸状側部ホック部１２２、左端の凸状隅部ホック部１２１を必要に応じてそれぞれ腕（右）の周りで装着することにより、腕（右）の周りに布カバー１２０を装着することができる。
【００３１】
以上の方法により、首の周りおよび両腕にこれらの部位を覆う日よけカバー１００を容易に装着することができる。
【００３２】
本実施形態の日よけカバー１００によると、以下の効果を奏する。
【００３３】
（１）布カバー１１０、１２０は、普段は２枚のタオル、あるいは手ぬぐいとして使用できる。
【００３４】
（２）布カバー１１０、１２０は、首の周りに連結し、また、それぞれ腕の周りに留めることができるので、首の周囲から両腕を覆う日よけカバーとして、太陽下でのスタンドでのスポーツ観戦時、屋外での活動時等に容易に着用し、日焼け防止に、また、効果的な汗取り用に使用することができる。
【００３５】
（３）自動車や自転車の運転時に着用すると、左右の両腕に装着される布カバー１１０，１２０がずれて下がる心配がない。よって、運転時にそのような心配をする必要がなく、運転に集中することができる。
【００３６】
（４）布カバー１１０、１２０を短手方向に連結することで、ひざ掛け、休息時に身体に掛けるタオルケットのような寝具にも使用することができる。
【００３７】
以上の実施形態では、二枚の布カバー１１０，１２０からなる例を説明したが、同一構造の布カバー部材を用意し、短手方向あるいは長手方向に３枚以上の布カバー部材を連結することもできる。
【００３８】
隅部ホック部および端部ホック部は、凹凸構造に限らない。それぞれ一方側をボタン形状、他方側をホール（穴）形状にしてよい。あるいはそれぞれを面ファスナーで構成してもよい。
【００３９】
かくして、本考案の日よけカバーによると、日焼け防止効果、汗取り効果が高く、また、容易に装着可能で、普段は二枚のタオルとして、さらにひざ掛けや身体に掛ける寝具として多くの用途に使用でき、使い勝手に優れる日よけカバーを実現することができた。
【産業上の利用可能性】
【００４０】
本考案の日よけカバーは、普段は二枚のタオルとして、太陽下での活動時は日よけ用、汗取り用として、さらに、ひざ掛け用あるいは身体にかける寝具用として幅広く利用可能である。
【符号の説明】
【００４１】
１００  日よけカバー
１１０，１２０  布カバー部材
１１０ａ，１２０ａ  前側端部
１１０ｂ，１２０ｂ  後側端部
１１１，１２３  凹状隅部ホック部
１１２，１２４  凹状側部ホック部
１１３，１２１  凸状隅部ホック部
１１４，１２２  凸状側部ホック部
１１１Ａ，１１２Ａ，１２３Ａ  凹状係合部
１１３Ａ，１１４Ａ  凸状係合部
Ａ  短手方向
Ｂ  長手方向
Ｍ  装飾模様
【図１】
0003218994.tif 000003
【図２】
0003218994.tif 000004
【図３】
0003218994.tif 000005
【図４】
0003218994.tif 000006
【図５】
0003218994.tif 000007
【図６】
0003218994.tif 000008
【図７】
0003218994.tif 000009